(57)【要約】      （修正有）【課題】簡易な構成により、１／２近傍の減衰領域で音質劣化を抑止可能な音量調整装置を提供する。【解決手段】１／２減衰領域での音質劣化を簡易な構成で抑制可能な音量調整装置を提供する。入力されたオーディオ信号を降圧トランス１１により減衰し、切り換えスイッチ１２を介して可変抵抗器１３に入力する。可変抵抗器１３では降圧トランス１１から入力された、降圧されたオーディオ信号をさらに減衰する。【選択図】図１
2006304281.tif 000002
【特許請求の範囲】
【請求項１】
信号源からオーディオ信号が入力されるトランスと、
前記トランスの中間タップを選択することにより、対応するオーディオ信号を取得する信号取得部と、
前記信号取得部から入力されたオーディオ信号を減衰する抵抗減衰器と
を備える
音量調整装置。
【請求項２】
前記トランスは前記信号源から入力されたオーディオ信号を減衰する降圧トランスからなり、該降圧トランスは減衰度の異なる複数の中間タップを備え、前記信号取得部は前記中間タップの選択を前記複数の中間タップの中で行う
請求項１に記載の音量調整装置。
【請求項３】
前記トランスは前記信号源からオーディオ信号が入力される巻線を有し、前記中間タップは前記巻線に設けられている
請求項１に記載の音量調整装置。
【請求項４】
前記トランスは前記信号源からオーディオ信号が入力される一次巻線と、前記中間タップが設けられた二次巻線とを有する
請求項１に記載の音量調整装置。
【請求項５】
前記信号取得部は、前記複数の中間タップの切り換えにより前記中間タップの選択を行う中間タップ選択部と、前記抵抗減衰器に入力されるオーディオ信号を出力する信号出力部とを備える
請求項２に記載の音量調整装置。
【請求項６】
前記中間タップ選択部は前記複数の中間タップの内の異なる中間タップを選択する複数のセレクトスイッチを有し、前記信号出力部は前記複数のセレクトスイッチにより取得されたオーディオ信号間の差からなるオーディオ信号を前記抵抗減衰器に入力する
請求項５に記載の音量調整装置。
【請求項７】
前記信号出力部は前記抵抗減衰器に入力される信号を増幅する増幅器を備える
請求項５に記載の音量調整装置。
【請求項８】
前記抵抗減衰器は前記信号取得部に接続された連続可変抵抗器を備える
請求項２に記載の音量調整装置。
【請求項９】
前記信号取得部は、前記複数の中間タップにそれぞれ接続されたスイッチ接点を有する第１の切り換えスイッチからなり、
前記抵抗減衰器は、
前記第１の切り換えスイッチの出力端に接続された前記連続可変抵抗器と、
前記第１の切り換えスイッチの出力端に接続された複数のスイッチ接点と前記連続可変抵抗器の摺動部に接続されたスイッチ接点とを有する第２の切り換えスイッチと
を備え、
前記第２の切り換えスイッチは前記第１の切り換えスイッチに連動する
請求項８に記載の音量調整装置。
【請求項１０】
前記信号取得部は、前記複数の中間タップに接続された第１の複数のスイッチ接点を備え、
前記抵抗減衰器は、
前記第１の複数のスイッチ接点の１つに接続された複数の直列な固定抵抗器と、
前記複数の固定抵抗器間のノードに接続された第２の複数のスイッチ接点と、
前記第１の複数のスイッチ接点と前記第２の複数のスイッチ接点とを選択可能な切り換えスイッチと
を備える
請求項２に記載の音量調整装置。
【請求項１１】
前記複数の直列な固定抵抗器が接続された前記第１の複数のスイッチ接点の１つは、前記複数の中間タップの中の最も減衰度が大きい中間タップに接続されている請求項１０に記載の音量調整装置。
【請求項１２】
前記信号取得部は、前記複数の中間タップに接続された第１の複数のスイッチ接点を備え、
前記抵抗減衰器は、
前記第１の複数のスイッチ接点の１つに接続された第１の切り換えスイッチと、
前記第１の切り換えスイッチにより選択可能な第２の複数のスイッチ接点と、
前記第２の複数のスイッチ接点にそれぞれ接続された複数の固定分圧回路と、
前記複数の固定分圧回路の出力端に接続された第３の複数のスイッチ接点と、
前記第１の複数のスイッチ接点と前記第３の複数のスイッチ接点とを選択可能な第２の切り換えスイッチと
を備える
請求項２に記載の音量調整装置。
【請求項１３】
入力されたオーディオ信号を減衰し、それぞれの減衰度に応じた前記オーディオ信号を出力する複数の中間タップを有する降圧トランスと、
前記複数の中間タップの中から１つを操作に応じて選択する切り換えスイッチと、
この切り換えスイッチの出力側に接続され、操作に応じた抵抗値の変化により前記オーディオ信号を連続的に減衰して出力する可変抵抗器と
を備える音量調整装置。
【請求項１４】
入力されたオーディオ信号を減衰し、それぞれの減衰度に応じた前記オーディオ信号を出力する複数の中間タップを有する降圧トランスと、
前記複数の中間タップの中から１つを操作に応じて選択する切り換えスイッチと、
この切り換えスイッチの出力側に接続され、前記オーディオ信号を増幅する増幅器と、
この増幅器の出力側に接続され、操作に応じた抵抗値の変化により前記オーディオ信号を連続的に減衰して出力する可変抵抗器と
を備える音量調整装置。
【請求項１５】
入力されたオーディオ信号を減衰し、それぞれの減衰度に応じた前記オーディオ信号を出力する複数の中間タップを有する降圧トランスと、
前記複数の中間タップの中から１つを操作に応じて選択する第１の切り換えスイッチと、
前記複数の中間タップの中から１つを操作に応じて選択する第２の切り換えスイッチと、
前記第１の切り換えスイッチの出力側に一方の入力端が接続され、第２の切り換えスイッチの出力側に他方の入力端が接続され、操作に応じた抵抗値の変化により前記オーディオ信号を連続的に減衰して出力する可変抵抗器と
を備える音量調整装置。
【請求項１６】
入力されたオーディオ信号を減衰し、それぞれの減衰度に応じた前記オーディオ信号を出力する複数の中間タップを有する降圧トランスと、
前記複数の中間タップの中から１つを操作に応じて選択する第１の切り換えスイッチと、
この第１の切り換えスイッチの出力側に接続され、操作に応じた抵抗値の変化により前記オーディオ信号を連続的に減衰して出力する可変抵抗器と、
前記第１の切り換えスイッチ及び前記可変抵抗器の出力側に接続され、操作に応じて前記第１の切り換えスイッチと連動して動作する第２の切り換えスイッチとを備え、
前記第２の切り換えスイッチは、前記第１の切り換えスイッチが前記オーディオ信号の減衰度が最大となる中間タップを選択したときのみ前記可変抵抗器の出力信号を出力し、前記第１の切り換えスイッチがその他の中間タップを選択したときは前記第１の切り換えスイッチの出力信号を出力する
音量調整装置。
【請求項１７】
入力されたオーディオ信号を減衰し、それぞれの減衰度に応じた前記オーディオ信号を出力する複数の中間タップを有する降圧トランスと、
前記複数の中間タップの中から１つを操作に応じて選択する第１の切り換えスイッチと、
この第１の切り換えスイッチの出力側に接続され、前記オーディオ信号を増幅する増幅器と、
この増幅器の出力側に接続され、操作に応じた抵抗値の変化により前記オーディオ信号を連続的に減衰して出力する可変抵抗器と、
前記第１の切り換えスイッチ及び前記可変抵抗器の出力側に接続され、操作に応じて前記第１の切り換えスイッチと連動して動作する第２の切り換えスイッチとを備え、
前記第２の切り換えスイッチは、前記第１の切り換えスイッチが前記オーディオ信号の減衰度が最大となる中間タップを選択したときのみ前記可変抵抗器の出力信号を出力し、前記第１の切り換えスイッチがその他の中間タップを選択したときは前記増幅器の出力信号を出力する
音量調整装置。
【請求項１８】
入力されたオーディオ信号を減衰し、それぞれの減衰度に応じた前記オーディオ信号を出力する複数の中間タップを有する降圧トランスと、
前記オーディオ信号の減衰度が最大となる中間タップに入力端子が接続され、前記中間タップから入力された前記オーディオ信号を段階的に減衰して出力する複数の出力端子を有する切り換え式抵抗器と、
前記複数の中間タップ及び前記切り換え式抵抗器の前記複数の出力端子の中から１つを操作に応じて選択する切り換えスイッチと
を備える音量調整装置。
【請求項１９】
前記降圧トランスは、１次２次独立巻線構造の降圧トランスである請求項１３乃至１８の何れか１項に記載の音量調整装置。
【発明の詳細な説明】
【技術分野】
【０００１】
本発明は、音量調整装置に関し、特に、オーディオ信号の増幅度制御に使用される音量調整装置に関する。
【背景技術】
【０００２】
オーディオ機器は、信号源となるソース機器（例えば、放送用記録媒体、スパーオーディオを含むＣＤ、テープ等）から２Ｈｚ〜１００ｋＨｚ（普通は２０Ｈｚ〜２０ｋＨｚ）のオーディオ信号を入力して、その前段増幅を行うプリアンプと、前段増幅されたオーディオ信号を電力増幅するパワーアンプ（又はメインアンプ）と、電力増幅されたオーディオ信号により駆動される電子音響機器（例えば、スピーカ）とを備え、プリアンプは、通常、増幅度制御のための音量調整装置を兼ねるが、プリアンプの次に音量調整装置を挿入しても良い。
【０００３】
こうした音量調整装置は、従来、可変抵抗器を用いて構成され、これにより、オーディオ信号の減衰度を調整していた。
【０００４】
図２５に従来のオーディオ機器の音量調整装置ＶＣ２０を示す。
【０００５】
この音量調整装置ＶＣ２０は、ソース機器ＳＡ又はプレアンプＰＡからオーディオ信号が入力される入力端子Ｔｉと、この入力端子Ｔｉの接地ラインＧに対する電位、つまり、入力電圧eINを分圧するポテンショメータとしての可変抵抗器１と、この可変抵抗器１の摺動子１ａの接地ラインＧに対する電位を、出力電圧ｅＯとして、次段のメインアンプＭＡへ出力する出力端子Ｔｏとを備えて構成される。入力電圧eINは可変抵抗器１の分圧抵抗Ｒ１，Ｒ２により分圧され、この分圧された電圧eIN・Ｒ２／（Ｒ１＋Ｒ２）が、出力電圧ｅＯになるので、オーディオ信号が、その分、減衰し、対応した音量調整がなされる。
【０００６】
出力端子Ｔｏは、メインアンプＭＡを構成する増幅素子の制御端子、例えば、図２７の三局真空管ＴＲのグリッド端子ｇ、に接続され、その浮遊入力容量、例えば、真空管ＴＲのプレートｐとグリッドｇとの間の容量Ｃｐｇ及びグリッドｇとカソードｋとの間の容量Ｃｇｋ、が重畳される。これらの容量Ｃｐｇ，Ｃｇｋは、可変抵抗器１の出力インピーダンスＺｏとローパスフィルタを構成して、高音域で減衰作用をもたらし、特に、容量Ｃｐｇは、ミラー効果により、増幅素子の電圧利得倍されるため、影響が大きい。
【０００７】
上記電圧利得をＡとすれば、等価入力容量Ｃｉは、Ｃｉ＝Ｃｇｋ＋（Ａ＋１）Ｃｐｇとなり、上記ローパスフィルタの遮断周波数ｆｃは、ｆｃ＝１／（２πＺｏＣｉ）になる。これは、減衰度ＡＴＴ＝６ｄＢ時に、高域遮断周波数がもっとも低くなることを意味する。
【０００８】
図２７に音量調整装置ＶＣ２０の減衰度ＡＴＴと出力インピーダンスＺｏとの関係を示し、図２８に音量調整装置ＶＣ２０の減衰度ＡＴＴと浮遊容量Ｃｉによる高域減衰フィルターの遮断周波数ｆｃとの関係を示す。
【０００９】
可変抵抗器１の分圧抵抗Ｒ１，Ｒ２は、和が一定で、積が反比例する。従って、Ｒ１＝Ｒ２の状態、つまり、減衰度ＡＴＴが１／２（＝−６ｄＢ）のときに、出力インピーダンスＺｏが最大となり、減衰度ＡＴＴが１／２（＝−６ｄＢ）から離れるに従い、インピーダンスＺｏが低下して、最大音量あるいは最低音量のときに、Ｚｏが最小（０Ω）になる。
【００１０】
最大音量又は最小音量に近い減衰領域では出力インピーダンスＺｏは低い。しかし、１／２減衰近傍では、出力インピーダンスＺｏが高くなり、分圧抵抗Ｒ１、Ｒ２の並列合成抵抗と音量調整装置ＶＣ２０の出力側からメインアンプＭＡの増幅素子の入力側までの浮遊容量で形成される高域減衰フィルターの遮断周波数ｆｃが低くなり、そこをオーディオ信号が通過すると音質が劣化する。
【００１１】
そこで、可変抵抗器に代えて降圧トランスを用いた音量調整装置が、特許文献１に示されている。
【特許文献１】特開平１０−３２７０３６号公報  図２６に従来の降圧トランス６１を用いた音量調整装置ＶＣ２１を示す。図２５と同じ要素は同じ参照符号で表す。
【００１２】
この音量調整装置ＶＣ２１は、入力端子Ｔｉに接続された降圧トランス２にｎ個の中間タップ２−１〜２―ｎを設け、これらのタップと１対１に接続されたｎ個の切り換え接点３−１〜３−ｎを有する切り換えスイッチ３を用いて、適宜な中間タップ２−ｉ（ｉ≦ｉ≦ｎ）を選択することにより、そのタップ２−ｉの位置に応じ減衰された信号を得、その信号を出力端子Ｔｏから出力している。
【００１３】
降圧トランス２による信号の減衰は磁気結合に基づくので、音量調整装置ＶＣ２１は、１／２減衰近傍で音質劣化が見られない。
【発明の開示】
【発明が解決しようとする課題】
【００１４】
音量調整装置ＶＣ２１は、最大減衰幅及び所望の分解能を満たす個数の中間タップ２―１〜２―ｎと、それに対応した個数のスイッチ接点３―１〜３―ｎを必要とし、その分、構成が複雑になる。例えば、２ｄＢの分解能で６０ｄＢの減衰幅を確保するには、それぞれ３０個もの中間タップとスイッチ接点が必要になる。
【００１５】
本発明は、以上の点に鑑みなされたもので、その目的は、簡易な構成により、１／２近傍の減衰領域で音質劣化を抑止可能な音量調整装置を提供することにある。
【課題を解決するための手段】
【００１６】
上記目的を達成するため、本発明の第１の側面に係る音量調整装置は、信号源からオーディオ信号が入力されるトランスと、前記トランスの中間タップを選択することにより、対応するオーディオ信号を取得する信号取得部と、前記信号取得部から入力されたオーディオ信号を減衰する抵抗減衰器とを備える。
【００１７】
上記目的を達成するため、本発明の第２の側面に係る音量調整装置は、前記第１の側面に係る音量調整装置であって、前記トランスは前記信号源から入力されたオーディオ信号を減衰する降圧トランスからなり、該降圧トランスは減衰度の異なる複数の中間タップを備え、前記信号取得部は前記中間タップの選択を前記複数の中間タップの中で行う。
【００１８】
上記目的を達成するため、本発明の第３の側面に係る音量調整装置は、前記第１の側面に係る音量調整装置であって、前記トランスは前記信号源からオーディオ信号が入力される巻線を有し、前記中間タップは前記巻線に設けられている。
【００１９】
上記目的を達成するため、本発明の第４の側面に係る音量調整装置は、前記第１の側面に係る音量調整装置であって、前記トランスは前記信号源からオーディオ信号が入力される一次巻線と、前記中間タップが設けられた二次巻線とを有する。
【００２０】
上記目的を達成するため、本発明の第５の側面に係る音量調整装置は、前記第２の側面に係る音量調整装置であって、前記信号取得部は、前記複数の中間タップの切り換えにより前記中間タップの選択を行う中間タップ選択部と、前記抵抗減衰器に入力されるオーディオ信号を出力する信号出力部とを備える。
【００２１】
上記目的を達成するため、本発明の第６の側面に係る音量調整装置は、前記第５の側面に係る音量調整装置であって、前記中間タップ選択部は前記複数の中間タップの内の異なる中間タップを選択する複数のセレクトスイッチを有し、前記信号出力部は前記複数のセレクトスイッチにより取得されたオーディオ信号間の差からなるオーディオ信号を前記抵抗減衰器に入力する。
【００２２】
上記目的を達成するため、本発明の第７の側面に係る音量調整装置は、前記第５の側面に係る音量調整装置であって、前記信号出力部は前記抵抗減衰器に入力される信号を増幅する増幅器を備える。
【００２３】
上記目的を達成するため、本発明の第８の側面に係る音量調整装置は、前記第２の側面に係る音量調整装置であって、前記抵抗減衰器は前記信号取得部に接続された連続可変抵抗器を備える。
【００２４】
上記目的を達成するため、本発明の第９の側面に係る音量調整装置は、前記第８の側面に係る音量調整装置であって、前記信号取得部は、前記複数の中間タップにそれぞれ接続されたスイッチ接点を有する第１の切り換えスイッチからなり、前記抵抗減衰器は、前記第１の切り換えスイッチの出力端に接続された前記連続可変抵抗器と、前記第１の切り換えスイッチの出力端に接続された複数のスイッチ接点と前記連続可変抵抗器の摺動部に接続されたスイッチ接点とを有する第２の切り換えスイッチとを備え、前記第２の切り換えスイッチは前記第１の切り換えスイッチに連動する。
【００２５】
上記目的を達成するため、本発明の第１０の側面に係る音量調整装置は、前記第２の側面に係る音量調整装置であって、前記信号取得部は、前記複数の中間タップに接続された第１の複数のスイッチ接点を備え、前記抵抗減衰器は、前記第１の複数のスイッチ接点の１つに接続された複数の直列な固定抵抗器と、前記複数の固定抵抗器間のノードに接続された第２の複数のスイッチ接点と、前記第１の複数のスイッチ接点と前記第２の複数のスイッチ接点とを選択可能な切り換えスイッチとを備える。
【００２６】
上記目的を達成するため、本発明の第１１の側面に係る音量調整装置は、前記第１０の側面に係る音量調整装置であって、前記複数の直列な固定抵抗器が接続された前記第１の複数のスイッチ接点の１つは、前記複数の中間タップの中の最も減衰度が大きい中間タップに接続されている。
【００２７】
上記目的を達成するため、本発明の第１２の側面に係る音量調整装置は、前記第２の側面に係る音量調整装置であって、前記信号取得部は、前記複数の中間タップに接続された第１の複数のスイッチ接点を備え、前記抵抗減衰器は、前記第１の複数のスイッチ接点の１つに接続された第１の切り換えスイッチと、前記第１の切り換えスイッチにより選択可能な第２の複数のスイッチ接点と、前記第２の複数のスイッチ接点にそれぞれ接続された複数の固定分圧回路と、前記複数の固定分圧回路の出力端に接続された第３の複数のスイッチ接点と、前記第１の複数のスイッチ接点と前記第３の複数のスイッチ接点とを選択可能な第２の切り換えスイッチとを備える。
【００２８】
上記目的を達成するため、本発明の第１３の側面に係る音量調整装置は、入力されたオーディオ信号を減衰し、それぞれの減衰度に応じた前記オーディオ信号を出力する複数の中間タップを有する降圧トランスと、前記複数の中間タップの中から１つを操作に応じて選択する切り換えスイッチと、この切り換えスイッチの出力側に接続され、操作に応じた抵抗値の変化により前記オーディオ信号を連続的に減衰して出力する可変抵抗器とを備える。
【００２９】
上記目的を達成するため、本発明の第１４の側面に係る音量調整装置は、入力されたオーディオ信号を減衰し、それぞれの減衰度に応じた前記オーディオ信号を出力する複数の中間タップを有する降圧トランスと、前記複数の中間タップの中から１つを操作に応じて選択する切り換えスイッチと、この切り換えスイッチの出力側に接続され、前記オーディオ信号を増幅する増幅器と、この増幅器の出力側に接続され、操作に応じた抵抗値の変化により前記オーディオ信号を連続的に減衰して出力する可変抵抗器とを備える。
【００３０】
上記目的を達成するため、本発明の第１５の側面に係る音量調整装置は、入力されたオーディオ信号を減衰し、それぞれの減衰度に応じた前記オーディオ信号を出力する複数の中間タップを有する降圧トランスと、前記複数の中間タップの中から１つを操作に応じて選択する第１の切り換えスイッチと、前記複数の中間タップの中から１つを操作に応じて選択する第２の切り換えスイッチと、前記第１の切り換えスイッチの出力側に一方の入力端が接続され、第２の切り換えスイッチの出力側に他方の入力端が接続され、操作に応じた抵抗値の変化により前記オーディオ信号を連続的に減衰して出力する可変抵抗器とを備える。
【００３１】
上記目的を達成するため、本発明の第１６の側面に係る音量調整装置は、入力されたオーディオ信号を減衰し、それぞれの減衰度に応じた前記オーディオ信号を出力する複数の中間タップを有する降圧トランスと、前記複数の中間タップの中から１つを操作に応じて選択する第１の切り換えスイッチと、この第１の切り換えスイッチの出力側に接続され、操作に応じた抵抗値の変化により前記オーディオ信号を連続的に減衰して出力する可変抵抗器と、前記第１の切り換えスイッチ及び前記可変抵抗器の出力側に接続され、操作に応じて前記第１の切り換えスイッチと連動して動作する第２の切り換えスイッチとを備え、前記第２の切り換えスイッチは、前記第１の切り換えスイッチが前記オーディオ信号の減衰度が最大となる中間タップを選択したときのみ前記可変抵抗器の出力信号を出力し、前記第１の切り換えスイッチがその他の中間タップを選択したときは前記第１の切り換えスイッチの出力信号を出力する。
【００３２】
上記目的を達成するため、本発明の第１７の側面に係る音量調整装置は、入力されたオーディオ信号を減衰し、それぞれの減衰度に応じた前記オーディオ信号を出力する複数の中間タップを有する降圧トランスと、前記複数の中間タップの中から１つを操作に応じて選択する第１の切り換えスイッチと、この第１の切り換えスイッチの出力側に接続され、前記オーディオ信号を増幅する増幅器と、この増幅器の出力側に接続され、操作に応じた抵抗値の変化により前記オーディオ信号を連続的に減衰して出力する可変抵抗器と、前記第１の切り換えスイッチ及び前記可変抵抗器の出力側に接続され、操作に応じて前記第１の切り換えスイッチと連動して動作する第２の切り換えスイッチとを備え、前記第２の切り換えスイッチは、前記第１の切り換えスイッチが前記オーディオ信号の減衰度が最大となる中間タップを選択したときのみ前記可変抵抗器の出力信号を出力し、前記第１の切り換えスイッチがその他の中間タップを選択したときは前記増幅器の出力信号を出力する。
【００３３】
上記目的を達成するため、本発明の第１８の側面に係る音量調整装置は、入力されたオーディオ信号を減衰し、それぞれの減衰度に応じた前記オーディオ信号を出力する複数の中間タップを有する降圧トランスと、前記オーディオ信号の減衰度が最大となる中間タップに入力端子が接続され、前記中間タップから入力された前記オーディオ信号を段階的に減衰して出力する複数の出力端子を有する切り換え式抵抗器と、前記複数の中間タップ及び前記切り換え式抵抗器の前記複数の出力端子の中から１つを操作に応じて選択する切り換えスイッチとを備える。
【００３４】
上記目的を達成するため、本発明の第１９の側面に係る音量調整装置は、前記第１３乃至第１８の側面のいずれか１つに係る音量調整装置であって、前記降圧トランスは、１次２次独立巻線構造の降圧トランスである。
【発明の効果】
【００３５】
本発明の第１乃至第１２の側面のいずれかに係る音量調整装置は、信号源からトランスに入力され高減衰されたオーディオ信号を信号取得部で取得し、この信号取得部から入力されたオーディオ信号を抵抗減衰器で減衰してるので、抵抗減衰器を１／２減衰領域で使用せずに済み、簡易な構成ながらも１／２減衰領域付近での音質劣化を抑制できる。
【００３６】
本発明の第１３乃至第１９の側面のいずれかに係る音量調整装置は、入力されたオーディオ信号を降圧する降圧トランスと、降圧トランスで降圧された信号を連続的に減衰する可変抵抗器とを備えるので、高減衰領域では、降圧トランスにより高減衰された信号を可変抵抗型減衰器に出力すれば、可変抵抗器を１／２減衰領域で使用せずに済み、簡易な構成ながらも１／２減衰領域付近での音質劣化を抑制できる。
【発明を実施するための最良の形態】
【００３７】
以下に、本発明を実施するための最良の形態に係る音量調整装置を、添付図面に基づき詳細に説明する。図面中、同じ要素は同じ参照符号で表す。
【００３８】
（第１の実施の形態）
先ず、本発明の第１の実施の形態に係る音量調整装置ＶＣ１を、図１〜図６に基づいて説明する。図１は音量調整装置ＶＣ１の回路図、図２は音量調整装置ＶＣ１の出力レベルダイアグラム、図３は音量調整装置ＶＣ１の要部を示す写真、図４〜図６は音量調整装置ＶＣ１の降圧トランス１１の特性線図である。
【００３９】
音量調整装置ＶＣ１は、不図示の信号源（ソース機器又はプリアンプ）から入力されるオーディオ信号を降圧して減衰する降圧トランス１１と、このトランス１１の減衰度の異なる複数（本例では５つ）の中間タップ１１ａ，１１ｂ，１１ｃ，１１ｄ，１１ｅの１つを選択することにより、対応するオーディオ信号を取得する信号取得部ＳＡＣと、この信号取得部ＳＡＣから入力されたオーディオ信号を減衰する抵抗減衰器ＲＡＴとを備える。
【００４０】
降圧トランス１１は信号源からオーディオ信号が入力される巻線１１ｆを有し、中間タップ１１ａ〜１１ｅはこの巻線１１ｆに設けられている。この降圧トランスは、図４に示すＡＴＴ（減衰度）vsｆ（周波数）特性と、図５に示すＴＨＤ（全高調波歪）vsｅＩＮ（入力電圧）特性と、図６に示すＺｉｎ（入力インピーダンス）vs  ｆ（周波数）特性とを有する。
【００４１】
信号取得部ＳＡＣは、中間タップ１１ａ〜１１ｄの切り換えにより中間タップの選択を行う中間タップ選択部ＴＳとしての切り換えスイッチ１２と、この切り換えスイッチ１２から、抵抗減衰器ＲＡＴに入力されるオーディオ信号を出力する信号出力部ＳＯとを備える。
【００４２】
抵抗減衰器ＲＡＴは信号取得部ＳＡＣに接続された連続可変抵抗器１３からなる。
【００４３】
即ち、音量調整装置ＶＣ１は、図１に示すように、入力されたオーディオ信号を降圧する複数の中間タップ１１ａ〜１１ｅを有する降圧トランス１１と、スイッチ端子１２ａ〜１２ｄを有し、中間タップ１１ａ〜１１ｄの中の１つを選択する切り換えスイッチ１２と、切り換えスイッチ１２の出力端子１２ｅに接続され、オーディオ信号を連続的に減衰して出力する可変抵抗器１３とを備える。
【００４４】
中間タップ１１ａ〜１１ｄはそれぞれ異なる減衰度を有し、切り換えスイッチ１２の端子１２ａ〜１２ｄに接続されている。可変抵抗器１３は摺動部１３ａを有し、摺動部１３ａと端子１２ｅの間の抵抗Ｒ１と、残部の抵抗Ｒ２とで分圧を行う。
【００４５】
音量調整装置ＶＣ１にオーディオ信号が入力されると、降圧トランス１１により降圧される。降圧されたオーディオ信号は中間タップから切り換えスイッチ１２を介して可変抵抗器１３に出力される。例えば切り換えスイッチ１２の端子１２ｂ，１２ｅが接続されている場合、中間タップ１１ｂから端子１２ｂ，１２ｅを介して可変抵抗器１３に信号が出力される。
【００４６】
可変抵抗器１３に入力された信号はＲ１とＲ２とにより分圧されて減衰し、摺動部１３ａから出力される。
【００４７】
図２は、中間タップ１１ａ〜１１ｄの降圧ステップを１０ｄＢにしたときの音量調整装置ＶＣ１の出力レベルを示す。例えば、切り換えスイッチ１２の端子１２ｂ，１２ｅが接続され、中間タップ１１ｂが選択されている場合、オーディオ信号は、降圧トランス１１により−１０ｄＢ降圧され、降圧された信号がさらに可変抵抗器１３で減衰される。可変抵抗器１３での減衰度は連続的に変化できる。
【００４８】
音量調整装置ＶＣ１によれば、１／２減衰領域では降圧トランス１１により減衰した信号を可変抵抗器１３に出力することで、可変抵抗器１３を減衰の小さな領域で使用することが可能となる。このとき、可変抵抗器１３のＲ１が比較的小さいので、抵抗Ｒ１と抵抗Ｒ２の並列合成抵抗が小さくなり、音質の劣化を避けることができる。また降圧トランス１１の出力インピーダンスが低くなる為、可変抵抗器自体の抵抗値も低くする事が出来、より高い音質を維持できる。
【００４９】
可変抵抗器１３により減衰量を連続的に変化できるので、音量調整装置ＶＣ２１のように多数の中間タップを設ける必要がなく、経済的に構成できる。
【００５０】
図２の中間タップは１０ｄＢステップで説明したが、中間タップは６ｄＢ以下のステップとするのが理想的である。しかしながら２０ｄＢステップで−６０ｄＢまで備えれば実用上充分であり、この場合、中間タップの数は４個で済ます事が出来る。
【００５１】
（第２の実施の形態）
次に、本発明の第２の実施の形態に係る音量調整装置ＶＣ２を、図７に基づいて説明する。図７は音量調整装置ＶＣ２の回路図である。
【００５２】
音量調整装置ＶＣ２は、不図示の信号源から入力されるオーディオ信号を降圧して減衰する降圧トランス１１と、このトランス１１の減衰度の異なる複数（本例では５つ）の中間タップ１１ａ，１１ｂ，１１ｃ，１１ｄ，１１ｅの１つを選択することにより、対応するオーディオ信号を取得する信号取得部ＳＡＣと、この信号取得部ＳＡＣから入力されたオーディオ信号を減衰する抵抗減衰器ＲＡＴとを備える。
【００５３】
降圧トランス１１は信号源からオーディオ信号が入力される巻線１１ｆを有し、中間タップ１１ａ〜１１ｅはこの巻線１１ｆに設けられている。
【００５４】
信号取得部ＳＡＣは、中間タップ１１ａ〜１１ｄの切り換えにより中間タップの選択を行う中間タップ選択部ＴＳとしての切り換えスイッチ１２と、この切り換えスイッチ１２の出力を増幅して、抵抗減衰器ＲＡＴに入力されるオーディオ信号を出力する信号出力部ＳＯとしての増幅器１５とを備える。
【００５５】
抵抗減衰器ＲＡＴは信号取得部ＳＡＣに接続された連続可変抵抗器１３からなる。
【００５６】
即ち、音量調整装置ＶＣ２は、音量調整装置ＶＣ１の構成に加えて、降圧トランス１１の中間タップ１１ａ〜１１ｄを選択する切り換えスイッチ１２の出力側に増幅器１５が接続され、増幅器１５の出力側が可変抵抗器１３に接続されたものである。増幅器１５は、降圧トランス１１の出力インピーダンスに比べ十分に高い（１０倍以上）入力インピーダンスを持ち、降圧トランス１１の出力に影響を与えず、また、可変抵抗器１３を十分に駆動できる出力容量（電流、電圧）を持ち、可変抵抗器１３に対して十分に低い（１０分の１以下）出力インピーダンスを持つ。
【００５７】
音量調整装置ＶＣ２は、中間タップ１１ａ〜１１ｄから増幅器１５に流れ込む信号電流が減少し、音量調整装置ＶＣ１と比較してさらなる音質の改善がなされる。また、可変抵抗器１３として低い抵抗値の可変抵抗器を用いることができるので、出力端におけるインピーダンスを低くでき浮遊容量とで構成される高域減衰フィルターのカットオフ周波数をより高くする事ができ、特性音質面での向上が期待できる。
【００５８】
（第３の実施の形態）
次に、本発明の第３の実施の形態に係る音量調整装置ＶＣ３を、図８及び図９に基づいて説明する。図８は音量調整装置ＶＣ３の回路図、図９は音量調整装置ＶＣ３の出力レベルダイアグラムである。
【００５９】
音量調整装置ＶＣ３は、不図示の信号源から入力されるオーディオ信号を降圧して減衰する降圧トランス１１と、このトランス１１の減衰度の異なる複数（本例では５つ）の中間タップ１１ａ，１１ｂ，１１ｃ，１１ｄ，１１ｅの１つを選択することにより、対応するオーディオ信号を取得する信号取得部ＳＡＣと、この信号取得部ＳＡＣから入力されたオーディオ信号を減衰する抵抗減衰器ＲＡＴとを備える。
【００６０】
降圧トランス１１は信号源からオーディオ信号が入力される巻線１１ｆを有し、中間タップ１１ａ〜１１ｅはこの巻線１１ｆに設けられている。
【００６１】
信号取得部ＳＡＣは、中間タップ１１ａ〜１１ｅの切り換えにより中間タップの選択を行う中間タップ選択部ＴＳと、この中簡タップ選択部ＴＳから、抵抗減衰器ＲＡＴに入力されるオーディオ信号を出力する信号出力部ＳＯとを備える。
【００６２】
中間タップ選択部ＴＳは、中間タップ１１ａ〜１１ｅの内の異なる中間タップを選択する複数（本例では２つ）のセレクトスイッチ、つまり、互いに連動する切り換えスイッチ１２，１７を有し、信号出力部ＳＯは切り換えスイッチ１２，１７により取得されたオーディオ信号間の差からなるオーディオ信号を抵抗減衰器ＲＡＴに入力する。
【００６３】
抵抗減衰器ＲＡＴは信号取得部ＳＡＣに接続された連続可変抵抗器１３からなる。
【００６４】
即ち、音量調整装置ＶＣ３は、図８に示すように、入力されたオーディオ信号を減衰する複数の中間タップ１１ａ〜１１ｅを有する降圧トランス１１と、スイッチ端子１２ａ〜１２ｄを有し、中間タップ１１ａ〜１１ｄの中から１つを選択する切り換えスイッチ１２と、スイッチ端子１７ａ〜１７ｄを有し、中間タップ１１ｂ〜１１ｅの中から１つを選択する切り換えスイッチ１７と、切り換えスイッチ１２の出力端子１２ｅに一方の入力端が接続され、切り換えスイッチ１７の出力端子１７ｅに他方の入力端が接続され、オーディオ信号を連続的に減衰して出力する可変抵抗器１３とを備える。
【００６５】
中間タップ１１ａ〜１１ｅは異なる減衰度を有し、その内、タップ１１ａ〜１１ｄが、切り換えスイッチ１２の端子１２ａ〜１２ｄに接続され、タップ１１ｂ〜１１ｅが、切り換えスイッチ１７の端子１７ａ〜１７ｄに接続される。切り換えスイッチ１２と切り換えスイッチ１７とは、切り換えスイッチ１７で選択される中間タップが、切り換えスイッチ１２で選択される中間タップの１ステップ下のものとなるように連動する。また、可変抵抗器１３は摺動部１３ａを有し、摺動部１３ａと端子１２ｅとの間の抵抗をＲ１、残りの部分の抵抗をＲ２で表している。
【００６６】
音量調整装置ＶＣ３では、入力されオーディオ信号が降圧トランス１１で降圧され、降圧されたオーディオ信号が中間タップから切り換えスイッチ１２及び切り換えスイッチ１７を介して可変抵抗器１３に出力される。
【００６７】
例えば切り換えスイッチ１２の端子１２ｂ，１２ｅが接続され、切り換えスイッチ１７の端子１７ｂ，１７ｅが接続されている場合、中間タップ１１ｂから端子１２ｂ，１２ｅを介し、また、中間タップ１１ｃから端子１７ｂ，１７ｅを介して可変抵抗器１３に信号が出力される。
【００６８】
可変抵抗器１３に入力された信号は、分圧抵抗Ｒ１，Ｒ２により分圧されて減衰し、摺動部１３ａから出力される。
【００６９】
図９は、中間タップ１１ａ〜１１ｅの減衰度が１０ｄＢステップの場合の、音量調整装置ＶＣ３の出力レベルを示す。例えば切り換えスイッチ１２の端子１２ｂ，１２ｅが接続され、切り換えスイッチ１７の端子１７ｂ，１７ｅが接続されている場合、降圧トランス１１により−１０ｄＢだけ降圧された信号が端子１２ｅに出力され、降圧トランス１１により−２０ｄＢ降圧された信号が端子１７ｅに出力される。可変抵抗器１３では端子１２ｅと端子１７ｅとのレベル差を連続的に変化させることができる。
【００７０】
音量調整装置ＶＣ３は、降圧トランス１１の減衰範囲の各ステップ中で可変抵抗器１３を使用するので、可変抵抗器１３の減衰の小さい領域で使用することが可能となる。可変抵抗器１３のＲ１が比較的小さいので、抵抗Ｒ１と抵抗Ｒ２の並列合成抵抗も小さくなり音質の劣化を避けることができる。また降圧トランスの出力インピーダンスが小さい状態で使用できるので、可変抵抗器１３の抵抗も、より小さいものを使用する事ができ、より一層の音質劣化防止が可能である。
【００７１】
（第４の実施の形態）
次に、本発明の第４の実施の形態に係る音量調整装置ＶＣ４を、図１０〜図１２に基づいて説明する。図１０は音量調整装置ＶＣ４の回路図、図１１は音量調整装置ＶＣ４の出力レベルダイアグラム、図１２は音量調整装置ＶＣ４のユーザーインターフェースである。
【００７２】
音量調整装置ＶＣ４は、不図示の信号源から入力されるオーディオ信号を降圧して減衰する降圧トランス１１と、このトランス１１の減衰度の異なる複数（本例では５つ）の中間タップ１１ａ，１１ｂ，１１ｃ，１１ｄ，１１ｅの１つを選択することにより、対応するオーディオ信号を取得する信号取得部ＳＡＣと、この信号取得部ＳＡＣから入力されたオーディオ信号を減衰する抵抗減衰器ＲＡＴとを備える。
【００７３】
降圧トランス１１は信号源からオーディオ信号が入力される巻線１１ｆを有し、中間タップ１１ａ〜１１ｅはこの巻線１１ｆに設けられている。
【００７４】
信号取得部ＳＡＣは、中間タップ１１ａ〜１１ｄの切り換えにより中間タップの選択を行う中間タップ選択部ＴＳと、この中間タップ選択部ＴＳから、抵抗減衰器ＲＡＴに入力されるオーディオ信号を出力する信号出力部ＳＯとを備える。
【００７５】
中間タップ選択部ＴＳは、中間タップ１１ａ〜１１ｄの１つを選択する切り換えスイッチ１２からなる。
【００７６】
抵抗減衰器ＲＡＴは、信号出力部ＳＯに接続された連続可変抵抗器１３と、信号出力部ＳＯに接続された複数の端子４１ａ，１ｂ，４１ｄｃと、中間タップ選択部ＴＳの中間タップの選択に連動して、連続可変抵抗器１３の出力端子４１ｄ及び前記複数の端子４１ａ〜４１ｃの間で、端子の切り換え選択を行う端子選択部ＴＭＳとしての切り換えスイッチ４１を備える。
【００７７】
即ち、音量調整装置ＶＣ４は、図１０に示すように、音量調整装置ＶＣ１の構成に切り換えスイッチ４１が接続されたものである。切り換えスイッチの４１の端子４１ａ〜４１ｃは切り換えスイッチ１２の出力端子１２ｅに接続され、端子４１ｄは摺動部１３ａに接続される。そして、切り換えスイッチ４１は切り換えスイッチ１２に連動し、端子１２ａ，１２ｅが接続されたときは端子４１ａ，４１ｅが接続され、端子１２ｂ，１２ｅが接続されたときは端子４１ｂ，４１ｅが接続され、端子１２ｃ，１２ｅが接続されたときは端子４１ｃ，４１ｅが接続され、端子１２ｄ，１２ｅが接続されたときは端子４１ｄ，４１ｅが接続される。
【００７８】
したがって、切り換えスイッチ４１のスイッチ端子４１ａ〜４１ｃと出力端子４１ｅとが接続されているときは降圧トランス１１の中間タップ１１ａ〜１１ｃより直接、信号が出力される。
【００７９】
切り換えスイッチ４１の端子４１ｄ，４１ｅが接続されている場合、信号は可変抵抗器１３より出力され、−∞ｄＢまで連続して減衰できる。
【００８０】
図１１は、中間タップ１１ａ〜１１ｄの減衰度を１０ｄＢステップで変化させた場合の音量調整装置ＶＣ４の出力レベルダイアグラムを示す。
【００８１】
切り換えスイッチ４１のスイッチ端子４１ａ〜４１ｃが選択されているときは、降圧トランス１１の中間タップ１１ａ〜１１ｃより直接に信号が出力されるので、段階（ステップ）的に減衰度が変化し、切り換えスイッチ４１のスイッチ端子４１ｄが選択されているときは、可変抵抗器１３より信号が出力されるので、連続して減衰させることができる。
【００８２】
切り換えスイッチ１２，４１及び可変抵抗器１３の操作は図１２に示すユーザーインターフェースを使用して行う。例えば切り換えスイッチ操作用つまみ４２をａの位置に合わせると、端子１２ａ及び端子４１ａが選択される。切り換えスイッチ操作用つまみ４２をｄの位置に合わせると、端子１２ｄ及び端子４１ｄが選択され、このときのみ可変抵抗器操作用つまみ４３を用いて音量調整ができる。
【００８３】
音量調整装置ＶＣ４は、切り換えスイッチ４１のスイッチ端子４１ａ〜４１ｃと出力端子４１ｅとが接続されているときは、降圧トランス１１の中間タップ１１ａ〜１１ｃより直接に信号が出力されるので、その信号が可変抵抗器１３を経由することによる音質の悪化を避けることができる。
【００８４】
（第５の実施の形態）
次に、本発明の第５の実施の形態に係る音量調整装置ＶＣ５を、図１３に基づいて説明する。図１３は音量調整装置ＶＣ５の回路図である。
【００８５】
音量調整装置ＶＣ５は、不図示の信号源から入力されるオーディオ信号を降圧して減衰する降圧トランス１１と、このトランス１１の減衰度の異なる複数（本例では５つ）の中間タップ１１ａ，１１ｂ，１１ｃ，１１ｄ，１１ｅの１つを選択することにより、対応するオーディオ信号を取得する信号取得部ＳＡＣと、この信号取得部ＳＡＣから入力されたオーディオ信号を減衰する抵抗減衰器ＲＡＴとを備える。
【００８６】
降圧トランス１１は信号源からオーディオ信号が入力される巻線１１ｆを有し、中間タップ１１ａ〜１１ｅはこの巻線１１ｆに設けられている。
【００８７】
信号取得部ＳＡＣは、中間タップ１１ａ〜１１ｄの切り換えにより中間タップの選択を行う中間タップ選択部ＴＳと、この中間タップ選択部ＴＳから、抵抗減衰器ＲＡＴに入力されるオーディオ信号を出力する信号出力部ＳＯとを備える。
【００８８】
中間タップ選択部ＴＳは、中間タップ１１ａ〜１１ｅの１つを選択する切り換えスイッチ１２からなり、信号出力部ＳＯは増幅器１５からなる。
【００８９】
抵抗減衰器ＲＡＴは、信号出力部ＳＯに接続された連続可変抵抗器１３と、信号出力部ＳＯに接続された複数のスイッチ端子４１ａ，４１ｂ，４１ｄｃと、中間タップ選択部ＴＳの中間タップの選択に連動して、連続可変抵抗器１３の出力端子４１ｄ及び前記複数のスイッチ端子４１ａ〜４１ｃの間で、端子の切り換え選択を行う端子選択部ＴＭＳとしての切り換えスイッチ４１を備える。
【００９０】
即ち、音量調整装置ＶＣ５は、図１３に示すように、音量調整装置ＶＣ４の構成に加えて、降圧トランス１１の中間タップ１１ａ〜１１ｄを選択する切り換えスイッチ１２の出力側に増幅器１５が接続され、増幅器１５の出力側が可変抵抗器１３と切り換えスイッチ４１に並列接続されている。増幅器１５は、降圧トランス１１の出力インピーダンスに比べ十分に高い（１０倍以上）入力インピーダンスを持ち、降圧トランス１１の出力に影響を与えず、また、可変抵抗器１３を十分に駆動できる出力容量（電流、電圧）を持ち、可変抵抗器１３に対して十分に低い（１０分の１以下）出力インピーダンスを持つ。
【００９１】
音量調整装置ＶＣ５は、中間タップ１１ａ〜１１ｄから増幅器１５に流れ込む信号電流が少なく、音量調整装置ＶＣ４と比較してさらに音質が改善される。また、可変抵抗器１３の抵抗を低く設定でき、特性及び音質が向上する。
【００９２】
（第６の実施の形態）
次に、本発明の第６の実施の形態に係る音量調整装置ＶＣ６を、図１４、図１５に基づいて説明する。図１４は音量調整装置ＶＣ６の回路図、図１５は音量調整装置ＶＣ６のユーザーインターフェースである。
【００９３】
音量調整装置ＶＣ６は、不図示の信号源から入力されるオーディオ信号を降圧して減衰する降圧トランス５１と、このトランス５１の減衰度の異なるｎ個の中間タップ５１−１，５１−２，５１−３，．．．，５１−（ｎ−１），５１−ｎのうちの１つを選択することにより、対応するオーディオ信号を取得する信号取得部ＳＡＣと、この信号取得部ＳＡＣから入力されたオーディオ信号を減衰する抵抗減衰器ＲＡＴとを備える。
【００９４】
降圧トランス５１は信号源からオーディオ信号が入力される巻線５１ｆを有し、中間タップ５１−１〜５１−ｎはこの巻線５１ｆに設けられる。
【００９５】
信号取得部ＳＡＣは、上記ｎ個の中間タップ５１−１〜５１−ｎに接続されたｎ個のスイッチ接点５３−１，５３−２，５３−３，．．．，５３−（ｎ−１），５３−ｎを備える。
【００９６】
抵抗減衰器ＲＡＴは、上記ｎ個のスイッチ接点５３−１〜５３−ｎの１つ５３−ｎに直列に接続されたｍ個の固定抵抗器からなる切り換え式抵抗器５２と、ｍ個の固定抵抗器間のノードに接続されたｍ個のスイッチ接点５２−１，５２−２，．．．，５２−ｍと、前記ｎ個のスイッチ接点５３−１〜５３−ｎとｍ個のスイッチ接点５２−１〜５２−ｍとを選択可能なセレクタを有する切り換えスイッチ５３とを備える。
【００９７】
前記ｍ個の直列な固定抵抗器が接続されたスイッチ接点の１つ５３−ｎは、ｎ個の中間タップ５１−１〜５１−ｎの中の最も減衰度が大きい中間タップ５１−ｎに接続されている。
【００９８】
即ち、音量調整装置ＶＣ６は、入力されたオーディオ信号を減衰するｎ個の中間タップ５１―１〜５１―ｎを有する降圧トランス５１と、互いに直列に接続されたｍ個の固定抵抗を備え、減衰度が最大の中間タップ５１―ｎから入力されたオーディオ信号が段階的に減衰出力されるｍ個のスイッチ端子５２―１〜５２―ｍを有する切り換え式抵抗器５２と、中間タップ５１―１〜５１―ｎに接続されたｎ個のスイッチ端子５３―１〜５３―ｎ及び上記ｍ個のスイッチ端子５２―１〜５２―ｍの中から１つを選択可能なセレクタを有する切り換えスイッチ５３とを備える。
【００９９】
音量調整装置ＶＣ６は、入力されたオーディオ信号が降圧トランス５１により降圧される。降圧されたオーディオ信号は中間タップ５１―１〜５１―ｎに接続された切り換えスイッチ５３の端子５３―１〜５３―ｎを介して出力される。
【０１００】
中間タップ５１―ｎの減衰度（例えば−２０ｄＢ）を超える減衰度を得る場合、オーディオ信号は、切り換え式抵抗器５２でさらに減衰され、切り換えスイッチ５３において、切り換え式抵抗器５２の出力端子を兼ねる前記スイッチ端子５２―１〜５２―ｍを介し出力される。
【０１０１】
音量調整装置ＶＣ６は、ユーザーインターフェースとして、図１５に示す切り換えスイッチ操作つまみ５４のみを備え、図１２に示すユーザーインターフェースより操作の利便性が向上する。
【０１０２】
（第７の実施の形態）
次に、本発明の第７の実施の形態に係る音量調整装置ＶＣ７を、図１６に基づいて説明する。図１６は音量調整装置ＶＣ７の要部の回路図である。
【０１０３】
音量調整装置ＶＣ７は、図１６に示すように、１次２次独立巻線構造の降圧トランス６１を用いる点で、第１乃至第６の実施の形態ＶＣ１〜ＶＣ６と異なる。このトランス６１は、コア６１ｃに、入力端子Ｔｉからオーディオ信号が入力される１次巻線６１ａと、信号取得部ＳＡＣに接続される中間タップが設けられた２次巻線６１ｂとが、巻回されているので、干渉が減少し、さらなる音質の改善がなされる。
【０１０４】
トランス６１は、昇圧トランスであっても良い。特に、音量調整装置ＶＣ７の前段に設置される増幅器が十分な出力電流容量をもっていれば、入力インピーダンスが低い昇圧トランスを用いる事により、更に音質を改善できる。
【０１０５】
コア６１ｃの材料は、トランス６１の性能を高める為、パーマロイ或いはセンアロイであっても良い。トランス６１の構造は、トロイダル形が理想的だが、カットコア形でも良い性能が得られる。
【０１０６】
第１乃至第６の実施の形態においても、既述の降圧トランスに代え、１次２次独立巻線構造の降圧トランス６１を使用できる。
【０１０７】
（第８の実施の形態）
次に、本発明の第８の実施の形態に係る音量調整装置ＶＣ８を、図１７、図１８に基づいて説明する。図１７は音量調整装置ＶＣ８の回路図、図１８は音量調整装置ＶＣ８の写真である。
【０１０８】
音量調整装置ＶＣ８は：複数の信号源（例えば、REC,TAPE,LINEIN１〜４）から、直接入力端子ＤＩＲＥＣＴ又は入力セレクタＩＳと、入力端子Ｔｉとを介して、入力されるオーディオ信号を降圧して減衰する降圧トランス８１と；このトランス８１の減衰度の異なるｎ（本例ではｎ＝１１）個の中間タップ８１−１，８１−２，．．．，８１−（ｎ−１），８１−ｎにそれぞれ接続されたｎ個のスイッチ接点８２−１，８２−２，．．．，８２−（ｎ−１），８２−ｎを備え、それらのうちの１つを選択することにより、対応するオーディオ信号を取得する信号取得部ＳＡＣと；この信号取得部ＳＡＣから入力されたオーディオ信号を減衰する抵抗減衰器ＲＡＴとを備える。
【０１０９】
この抵抗減衰器ＲＡＴは：前記ｎ個のスイッチ接点８２−１〜８２−ｎのうち減衰度が最大（−２０ｄＢ）のスイッチ接点８２−ｎに接続された入力側スイッチ接点セレクタＴＳと；このセレクタＴＳにより選択可能なｎ＋ｍ（本例ではｎ＋ｍ＝１１＋３５＝４６）個のスイッチ接点８３−１，８３−２，．．．，８３−（ｎ＋ｍ）の内、ダミーとなる最初のｎ−１個を除く、ｍ＋１（本例ではｍ＋１＝３５＋１＝３６）個のスイッチ接点８３−ｎ，８３−（ｎ＋１），．．．，８３−（ｎ＋ｍ）と；これらｍ＋１個のスイッチ接点８３−ｎ，．．．，８３−（ｎ＋ｍ）と接地ラインＧとの間にそれぞれ接続されたｍ＋１個の抵抗回路８４−０，８４−１，．．．，８４−（ｍ−１），８４−ｍとを備える。これらｍ＋１個の抵抗回路の内、最初の抵抗回路８４−０は固定抵抗Ｒ２からなり、続くｍ−１個の抵抗回路８４−１〜８４−（ｍ−１）は固定抵抗Ｒ１及びＲ２を用いた固定分圧回路として構成され、最後の抵抗回路８４−ｍは固定抵抗Ｒ１からなる。
【０１１０】
上記抵抗減衰器ＲＡＴは、更に：上記ｍ＋１個の抵抗回路の内、固定分圧回路として構成されたｍ−１個の抵抗回路８４−１〜８４−（ｍ−１）の分圧出力端及び最後の抵抗回路８４−ｍの接地端に接続された計ｍ個のスイッチ接点８２−（ｎ＋１），８２−（ｎ＋２），．．．，８２−（ｎ＋ｍ）と；前記信号取得部ＳＡＣのｎ個のスイッチ接点８２−１〜８２−ｎ及び上記ｍ個のスイッチ接点８２−（ｎ＋１）〜８２−（ｎ＋ｍ）を選択可能な、つまり、全部でｎ＋ｍ個のスイッチ接点８２−１〜８２−（ｎ＋ｍ）を選択可能な出力側スイッチ接点セレクタＲＳとを備え、このセレクタＲＳが出力端子Ｔｏに接続されている。
【０１１１】
即ち、音量調整装置ＶＣ８は：−０ｄ〜−２０ｄＢの減衰範囲で段階的減衰を行うｎ個の中間タップ８１−１〜８１−ｎを有する降圧トランス８１と；図１８に示すように円環状に配置されたｎ＋ｍ個のスイッチ接点８２−１〜８２−（ｎ＋ｍ）及びそれらのセレクタＲＳを有する切り換えスイッチ８２と；同じく円環状に配置されたｎ＋ｍ個のスイッチ接点８３−１〜８３−（ｎ＋ｍ）及びそれらのセレクタＴＳを有する切り換えスイッチ８３とを備え；更に、降圧トランス８１の最大減衰（−２０ｄＢ）中間タップ８１−ｎとの直列併用により−２１ｄＢ〜−８０ｄＢの減衰範囲で段階的減衰を行うｍ―１個の固定分圧回路８４−１〜８４−（ｍ―１）と、−∽ｄＢの減衰に対応するＲ１Ω対０Ωの固定分圧回路８４−ｍとが並列に配設された減衰抵抗群８４を備えてなる。
【０１１２】
従って、出力端子Ｔｏは、上記トランス８１及び／又は抵抗群８４により適宜減衰されたオーディオ信号を受け、このオーディオ信号が、端子Ｔｏから、直接出力端子ＤＩＲＥＣＴ又は出力セレクタＯＳを介して、出力ライン接続端子ＬＩＮＥ  ＯＵＴＰＵＴ―１及び／又はＬＩＮＥ  ＯＵＴＰＵＴ−２へ出力される。
【０１１３】
第８の実施の形態ＶＣ８の降圧トランス８１の巻線８１ｆの仕様を、表１に示す。この表は、他の実施の形態の降圧トランスにも適用できる。
【表１】
2006304281.tif 000003
【０１１４】
上記降圧トランス８１も、第１〜第６の実施の形態ＶＣ１〜ＶＣ６同様に、入力セレクタＩＳからオーディオ信号が入力される巻線に中間タップ８１−１〜８１−ｎが設けられた構成になっているが、第７実施例ＶＣ７に合わせ、信号源からのオーディオ信号が一次巻線に入力されるトランスの二次巻線に中間タップを設けるようにしても良い。
【０１１５】
（第９の実施の形態）
次に、本発明の第９の実施の形態に係る音量調整装置ＶＣ９を含むオーディオシステムを、図１９、図２０に基づいて説明する。図１９はオーディオシステムの背面側からみた斜視図、図２０は同システムの正面側から見た斜視図である。
【０１１６】
上記音量調整装置ＶＣ９は、音量調整装置ＶＣ１〜ＶＣ８のいずれであっても良く、単独のユニットとして所定のサイズに製作される。
【０１１７】
上記オーディオシステムは、それぞれ、音量調整装置ＶＣ９に対応するサイズにユニット化されたＣＤプレーヤーＳＡ、プリアンプＰＡ、メインアンプＭＡ、及び一対のスピーカーＳＰと、音量調整装置ＶＣ９とを、図示のように結線して構成される。
【０１１８】
なお、第１乃至第８の実施の形態に係る音量調整装置ＶＣ−１〜ＶＣ−８は、いずれも、プリアンプ或いはメインアンプと一緒にユニット化しても良く、或いは、適宜な関連機器を含むアンプユニットとして構成しても良い。これによれば、良好なレベルバランスを実現でき、配線が少なく、浮遊容量も小さくなって、音質の劣化を最小限にとどめ得る。具体的な例を次に示す。
【０１１９】
（第１０の実施の形態）
本発明の第１０の実施の形態に係る音量調整装置ＶＣ１０を、図２１、図２２に基づいて説明する。図２１は音量調整装置ＶＣ１０のブロック図、図２２は音量調整装置ＶＣ１０の正面図である。
【０１２０】
音量調整装置ＶＣ１０は、イコライザ、入力セレクタＩＳ、プリアンプＰＡ、及びメインアンプＭＡを含むユニットとして構成される。ＶＲは音量調整ツマミである。
【０１２１】
（第１１の実施の形態）
本発明の第１１の実施の形態に係る音量調整装置ＶＣ１１を、図２３、図２４に基づいて説明する。図２３は音量調整装置ＶＣ１１のブロック図、図２４は音量調整装置ＶＣ１１の正面図である。
【０１２２】
音量調整装置ＶＣ１１は、音量調整装置ＶＣ１０に比し、更に出力セレクタＯＳを含む。
【０１２３】
以上の説明により明らかなごとく、本発明の各実施の形態によれば、信号源からトランスに入力され高減衰されたオーディオ信号を信号取得部で取得し、この信号取得部から入力されたオーディオ信号を抵抗減衰器で減衰しているので、抵抗減衰器を１／２減衰領域で使用せずに済み、簡易な構成ながらも１／２減衰領域付近での音質劣化を抑制できる。
【０１２４】
また、入力されたオーディオ信号を降圧する降圧トランスと、降圧トランスで降圧された信号を連続的に減衰する可変抵抗器とを備えるので、高減衰領域では、降圧トランスにより高減衰された信号を可変抵抗型減衰器に出力すれば、可変抵抗器を１／２減衰領域で使用せずに済み、簡易な構成ながらも１／２減衰領域付近での音質劣化を抑制できる。
【０１２５】
なお、以上の実施の形態の説明は、限定的説明ではなく、あくまで例示的なものであり、当業者であれば、請求の範囲において様々な変更が可能なことを理解できよう。
【０１２６】
例えば、抵抗形分圧器の摺動接点より高電位側の抵抗をＲａ、低電位側の抵抗をＲｂと置くと、その電圧利得（減衰度）がＲｂ／（Ｒａ＋Ｒｂ）で与えられ、出力インピーダンスがＲａｘＲｂ／（Ｒａ＋Ｒｂ）で与えられることから、第６の実施の形態に係る音量調整装置ＶＣ６及び第８の実施の形態に係る音量調整装置ＶＣ８の抵抗減衰器ＲＡＴに関し、次の構成を採用できる。
【０１２７】
音量調整装置ＶＣ６の切り換え式抵抗器５２に関し、ｉ（１≦ｉ≦ｍ）番目のスイッチ端子５２−ｉに接続されるｉ番目の固定抵抗の抵抗値をＲｉで表すとき、ｉがｍに近づくに連れてＲｉが小さくなるように、抵抗値を設定する。これにより、直列抵抗群の減衰ステップ幅の均等化が容易になる。
【０１２８】
また、音量調整装置ＶＣ８の減衰抵抗群８４に関し、固定分圧回路８４−ｉ（１≦ｉ≦ｍ）の抵抗Ｒ１，Ｒ２の和を、ｉに関わらずほぼ一定に保ちつつ、ｉがｍに近づくに連れてＲ１が大きくなるように（従ってＲ２が小さくなるように）抵抗値を設定する。
【０１２９】
具体的には、音量調整装置ＶＣ８の音量調整回路（図２９）に表２の仕様値を与える。
【表２】
2006304281.tif 000004
【０１３０】
これによれば、並列抵抗を切り換える方式ため、信号が多数の固定抵抗を経由することが無くて、音質の劣化が少なく、その分、高音質が得られるだけでなく、並列抵抗群の減衰ステップ幅の均等化が容易になる。
【図面の簡単な説明】
【０１３１】
【図１】図１は本発明の第１の実施の形態に係る音量調整装置の回路図である。
【図２】図２は図１の音量調整装置の出力レベルダイアグラムである。
【図３】図３は図１の音量調整装置の要部を示す写真である。
【図４】図４は図１の音量調整装置の降圧トランスの特性線図である。
【図５】図５は図１の音量調整装置の降圧トランスの特性線図である。
【図６】図６は図１の音量調整装置の降圧トランスの特性線図である。
【図７】図７は本発明の第２の実施の形態に係る音量調整装置の回路図である。
【図８】図８は本発明の第３の実施の形態に係る音量調整装置の回路図である。
【図９】図９は図８の音量調整装置の出力レベルダイアグラムである。
【図１０】図１０は本発明の第４の実施の形態に係る音量調整装置の回路図である。
【図１１】図１１は図１０の音量調整装置の出力レベルダイアグラムである。
【図１２】図１２は図１０の音量調整装置のユーザーインターフェースを示す。
【図１３】図１３は本発明の第５の実施の形態に係る音量調整装置の回路図である。
【図１４】図１４は本発明の第６の実施の形態に係る音量調整装置の回路図である。
【図１５】図１５は図１４の音量調整装置のユーザーインターフェースを示す。
【図１６】図１６は本発明の第７の実施の形態に係る音量調整装置の回路図である。
【図１７】図１７は本発明の第８の実施の形態に係る音量調整装置の回路図である。
【図１８】図１８は図１７の音量調整装置の写真である。
【図１９】図１９は本発明の第９の実施の形態に係る音量調整装置を含むオーディオシステムの背面側から見た斜視図である。
【図２０】図２０は図１９のオーディオシステムの正面側から見た斜視図である。
【図２１】図２１は本発明の第１０の実施の形態に係る音量調整装置のブロック図である。
【図２２】図２２は図２１の音量調整装置の正面図である。
【図２３】図２３は本発明の第１１の実施の形態の係る音量調整装置のブロック図である。
【図２４】図２４は図２３の音量調整装置の正面図である。
【図２５】図２５は従来のオーディオ機器の音量調整装置の回路図である。
【図２６】図２６は従来の降圧トランスを用いた音量調整装置の回路図である。
【図２７】図２７は図２５の音量調整装置の減衰度と出力インピーダンスとの関係を示すグラフである。
【図２８】図２８は図２５の音量調整装置の減衰度と浮遊容量による高域減衰フィルターの遮断周波数との関係を示すグラフである。
【図２９】図２９は図１７の音量調整装置の音量調整回路の回路図である。
【符号の説明】
【０１３２】
ＶＣ１，ＶＣ２，ＶＣ３，ＶＣ４，ＶＣ５，ＶＣ６，ＶＣ７，ＶＣ８，ＶＣ９，ＶＣ１０，ＶＣ１１  音量調整装置
Ｔｉ       入力端子
Ｔｏ       出力端子
１１，５１，６１，８１  降圧トランスとしてのトランス、
１１ａ〜１１ｅ，５１−１〜５１−ｎ，８１−１〜８１−ｎ  中間タップ
ＳＡＣ     信号取得部
ＲＡＴ     抵抗減衰器
１１ｆ，５１ｆ，８１ｆ  巻線
６１ａ     一次巻線
６１ｂ     二次巻線
ＴＳ             中間タップ選択部
ＳＯ             信号出力部
１２，１７，４１，５３，８２，８３  切り換えスイッチ
１５             増幅器
１３             連続可変抵抗器としての可変抵抗器
１２ａ〜１２ｄ，１７ａ〜１７ｄ，４１ａ〜４１ｄ，５２−１〜５２−ｍ，５３−１〜５３−ｎ，８２−１〜８２−（ｎ＋ｍ），８３−１〜８３−（ｎ＋ｍ）  スイッチ接点
１２ｅ，１７ｅ，４１ｅ  出力端子
１３ａ      摺動部
５２       切り換え式抵抗器
８４       減衰抵抗群
８４−１〜８４−ｍ  固定分圧回路
１１    降圧トランス
１２    切り換えスイッチ
１１ａ〜１１ｅ  中間タップ
１５    増幅器
５２    切り換え式抵抗器
【図１】
2006304281.tif 000005
【図２】
2006304281.tif 000006
【図３】
2006304281.tif 000007
【図４】
2006304281.tif 000008
【図５】
2006304281.tif 000009
【図６】
2006304281.tif 000010
【図７】
2006304281.tif 000011
【図８】
2006304281.tif 000012
【図９】
2006304281.tif 000013
【図１０】
2006304281.tif 000014
【図１１】
2006304281.tif 000015
【図１２】
2006304281.tif 000016
【図１３】
2006304281.tif 000017
【図１４】
2006304281.tif 000018
【図１５】
2006304281.tif 000019
【図１６】
2006304281.tif 000020
【図１７】
2006304281.tif 000021
【図１８】
2006304281.tif 000022
【図１９】
2006304281.tif 000023
【図２０】
2006304281.tif 000024
【図２１】
2006304281.tif 000025
【図２２】
2006304281.tif 000026
【図２３】
2006304281.tif 000027
【図２４】
2006304281.tif 000028
【図２５】
2006304281.tif 000029
【図２６】
2006304281.tif 000030
【図２７】
2006304281.tif 000031
【図２８】
2006304281.tif 000032
【図２９】
2006304281.tif 000033